(57)【要約】      （修正有）【課題】液体洗剤、入浴剤、シャンプー、リンス、油脂等の詰替え用袋は、柔軟で取扱い難く、切断した開口部からの小さいボトルの口への注入は難しく、詰替え作業が煩わしいという問題点があったので、この詰替え作業を円滑に行うことができるようにした新規な詰替え口を提供する。【解決手段】２枚のプラスチックフィルムを接着して流路部６を設け、その流路部６に接する２枚のプラスチックフィルム内面に夫々接着テープ部３ａ，３ｂを設けた詰替え口１であって、内容液入り詰替え用袋１１の開口部に対して接着テープ部３ａ，３ｂを被覆して貼り付け、流路を延長できるようにした。【選択図】図５
2011168334.tif 000002
【特許請求の範囲】
【請求項１】
２枚のプラスチックフィルムを接着して流路部を設け、その流路部に接する２枚のプラスチックフィルム内面に夫々接着テープ部を設けた詰替え口であって、詰替え用袋の開口部に対して接着テープ部を被覆して貼り付けて流路を延長できるようにしたことを特徴とする詰替え口。
【請求項２】
上記流路部は、２枚のプラスチックフィルムの２辺を熱接着することによって形成したことを特徴とする請求項１の詰替え口。
【請求項３】
上記接着テープ部は、流路部を形成した接着部の接着端部に接する２枚のプラスチックフィルム内面の夫々に、剥離ライナー付き両面接着テープを取付けたことを特徴とする請求項１の詰替え口。
【請求項４】
流路部のプラスチックフィルムに、膨らみ部を形成したことを特徴とする請求項２の詰替え口。
【発明の詳細な説明】
【技術分野】
【０００１】  本発明は、液体洗剤、入浴剤、シャンプー、リンス、油脂等の詰替え用袋に取付ける詰替え口に関する。
【背景技術】
【０００２】  液体洗剤、入浴剤、シャンプー、リンス、油脂等は、通常プラスチックボトルやガラス瓶に詰められて販売され、そのまま使用できるようになっている。このプラスチックボトル等に詰められた液体洗剤等を使い切った場合は、改めて新しい内容液入りのプラスチックボトル等を購入することはできるが、このボトル等を再使用するために内容液入りの詰替え用袋での販売が一般化されていて、省資源化の目的で多く用いられる傾向にある。
【先行技術文献】
【特許文献】
【０００３】
【特許文献１】特開２００８−７４４７９号  公報
【特許文献２】特開２００９−５７０７１号  公報
【発明の概要】
【発明が解決しようとする課題】
【０００４】  従前から使用されている詰替え用袋は、一般的にプラスチックフィルムを貼り合わせて形成されていて、特許文献１、特許文献２に開示された詰替え用袋は、袋本体上部の一部に設けられた抽出口を切断して開口し、この開口部をボトル等の口にあてがうとか差し込んで詰替え作業がなされる。このプラスチックフィルムによって作成された詰替え用袋は、柔軟で取扱い難く、その抽出口は短くて切断した開口部からの小さいボトルの口への注入は難しく、詰替え作業には注意深さや技量を要するので円滑に行えないという問題点があった。特に、抽出口をボトル内により深く差し込もうとすると流路の閉塞状態を生じやすく、また、詰替え作業の最終段階においては溶液の粘性も影響して袋内に内溶液が残りやすいが、使用者は詰替え用袋を保持しながら袋自体をしごいて絞り出そうとするので、往々にしてボトルの外に液漏れをさせてしまうとかボトルを転倒させてしまう等の問題点があった。
本発明は、この詰替え作業を円滑に行うことができるようにした新規な詰替え用袋の詰替え口を提供することを目的とする。
【課題を解決するための手段】
【０００５】  この目的を達成するために、本発明の詰替え用袋の詰替え口は、２枚のプラスチックフィルムを接着して流路部を設け、その流路部に接する２枚のプラスチックフィルム内面に夫々接着テープ部を設けた詰替え口であって、詰替え用袋の開口部に対して接着テープ部を被覆させ貼り付けて流路を延長できるようにしたことを特徴とする。【０００６】    上記流路部は、２枚のプラスチックフィルムの２辺を熱接着することによって形成したことを特徴とする。上記接着テープ部は、流路部を形成した接着部の接着端部に接する２枚のプラスチックフィルム内面の夫々に、剥離ライナー付き両面接着テープを取付けたことを特徴とする。また、上記流路部のプラスチックフィルムには、液体の流れをよりスムーズにするためにエンボス加工することによって膨らみ部を形成することが望ましい。
【発明の効果】
【０００７】  本発明によれば、詰替え用袋の開口部に対して接着テープ部を貼り付けて取付けると、開口部と流路部を隙間なく接続して流路を延長することができるので、詰替え作業時にはボトルの口に長い流路部を差し込むことができる。以上のとおり、詰替え口の詰替え用袋への取付けは容易であり、詰替え開始時は勿論のこと、内容液が少なくなった時でも良好な溶液の流れが得られるので、液体の移し替え作業を容易にすることができる効果がある。使用者が詰替え用袋内に残った内容液を絞り出そうとしたときでもボトルの外への液漏れが起こり難くなるなど、詰替え作業での煩わしさを解消できる効果がある。また、接着テープ部はシンプルで柔軟性があるので、従前から使用されている多種の詰替え用袋の抽出口に適用して取付けることができるという効果がある。
【図面の簡単な説明】
【０００８】
【図１】本発明の実施形態を示す詰替え口の平面図
【図２】図１におけるＡ−Ａ断面図
【図３】図１におけるＢ−Ｂ断面図
【図４】図１におけるＣ−Ｃ断面図
【図５】本発明の取付け状態を示す平面図
【図６】図５における接着テープ部の貼付け準備状態のＤ−Ｄ断面図
【図７】図５における片方の接着テープ部貼付け状況のＤ−Ｄ断面図
【図８】図５における他方の接着テープ部貼付け状況のＤ−Ｄ断面図
【図９】図５における取付け完了状態のＤ−Ｄ断面図
【図１０】本発明による実施例を示す詰替え口の平面図
【図１１】本発明の他の取付け状態を示す平面図
【発明を実施するための形態】
【０００９】  以下、本発明の実施の形態を図１〜図４に基づいて説明する。
図１に示すように詰替え口１は、２枚の方形状のプラスチックフィルム２ａ、２ｂおよび接着テープ部３ａ、３ｂの部品で構成される。２枚のプラスチックフィルム２ａ、２ｂは、接着テープ部を除く２辺を熱接着して接着部５ａ、５ｂを作成し、流路部６を形成する。接着端部７ａ、７ｂに接するプラスチックフィルム２ａ、２ｂの内面の夫々には剥離ライナー８ａ、８ｂ付きの両面接着テープ９ａ、９ｂを取付けて接着テープ部３ａ、３ｂを設ける。また、流路部６のプラスチックフィルム２ａ、２ｂにはエンボス加工することによって膨らみ部４ａ、４ｂを形成するほうがよい。
【実施例】
【００１０】  以下、本発明の実施例を説明する。
図５は本発明の詰替え口を詰替え用袋に取付けた状態を示す平面図であり、切断線１２で開口された詰替え用袋１１の抽出口１３に接着テープ部３ａ、３ｂを被覆させて貼り付け、抽出口の流路１４と詰替え口の流路部６を接続する。図６〜図９の断面図は詰替え口を抽出口に取付ける過程を示しており、まず図６に示すように詰替え口１の摘み部１０ａ、１０ｂを開いて二股状になっている接着テープ部３ａ、３ｂの剥離ライナー８ａ、８ｂの間に抽出口１３を挟み込み、切断線１２が接着端部７ａ、７ｂに接するように奥まで被覆させる。次に図７に示すように詰替え口１と抽出口１３の位置関係を保ちながら、片方の剥離ライナー８ａを剥がして両面接着テープ９ａを抽出口１３に貼り付ける。その後図８に示すように他方の剥離ライナー８ｂを剥がして両面接着テープ９ｂを抽出口１３に貼り付けると、図９のように抽出口の流路１４と詰替え口の流路部６が接続されて取付け完了状態となる。【００１１】  図１０は本発明の詰替え口を複数個まとめて量産する場合の実施例を示す。２枚のプラスチックフィルム１５ａ、１５ｂは所要の複数個分の広さとし、接着テープ部を除く、詰替え口単品幅の間隔になるように熱接着することによって接着部１６ａ、１６ｂ、１６ｃ、１６ｄ、・・・を作成し、流路部１７ａ、１７ｂ、１７ｃ、・・・が形成される。接着端部１８ａ、１８ｂ、１８ｃ、１８ｄ、・・・に接するプラスチックフィルム１５ａ、１５ｂの内面の夫々には接着テープ部１９ａ、１９ｂとして複数個分の長さの剥離ライナー付き両面接着テープを貼り付ける。その後、切取り線２０ａ、２０ｂ、２０ｃ、・・・で切取れば複数個の詰替え口が完成する。流路部に膨らみ部を形成する場合は、予めプラスチックフィルムにエンボス加工をしておく。なお、製作工程の順序としては、接着テープ部の作成後に接着部を作成することとしてもよい。また、流路部を形成するための接着部は、熱接着の替わりに接着剤、接着テープ等によって実施されてもよい。【００１２】  図１１は、特に抽出口が設けられておらず上方角部を切断して開口部を作成するタイプの詰替え用袋２１に、本発明を取付けた場合を示すものである。詰替え用袋の上方角部を切断線２２で切取って抽出口とする場合でも、本発明の詰替え口１の取付け方法は前述の図６〜図９の説明と同様である。通常、ボトルに詰め替える際には、ボトルに内容液を移し替えしきれずに詰替え用袋に残ってしまう場合があるが、図１１のように本発明の詰替え口を折り曲げて洗濯バサミ等２３で保持すれば詰替え用袋の保管が容易である。
【符号の説明】
【００１３】１              詰替え口
２ａ、２ｂ      プラスチックフィルム
３ａ、３ｂ      接着テープ部
４ａ、４ｂ      膨らみ部
５ａ、５ｂ      接着部
６              流路部
７ａ、７ｂ      接着端部
８ａ、８ｂ      剥離ライナー
９ａ、９ｂ      両面接着テープ
１０ａ、１０ｂ  摘み部
１１            詰替え用袋
１２            切断線
１３            抽出口
１４            抽出口の流路
【図１】
2011168334.tif 000003
【図２】
2011168334.tif 000004
【図３】
2011168334.tif 000005
【図４】
2011168334.tif 000006
【図５】
2011168334.tif 000007
【図６】
2011168334.tif 000008
【図７】
2011168334.tif 000009
【図８】
2011168334.tif 000010
【図９】
2011168334.tif 000011
【図１０】
2011168334.tif 000012
【図１１】
2011168334.tif 000013